(57)【要約】【課題】既設のエレベーターにも簡単に適用できると共に、容易に操作でき、しかも誤操作の惧が少ないエレベーターの防犯運転装置を提供する。【解決手段】乗りかご１内に、非常通報釦（インターホン釦）を含む非常通報設備を持つエレベーター操作盤４を備えたエレベーターにおいて、前記かご操作盤４上の非常通報釦を所定時間（１秒程度）以内の短時間だけ操作することにより、乗りかご１を最寄階に停止させる手段７３，７４を備えた。所定時間以上操作されれば、通信接続手段７５により管理人室または監視室８とかご１内をインターホンで接続し、通話可能とする。【選択図】図２
2009029580.tif 000002
【特許請求の範囲】
【請求項１】
乗りかご内に、かご操作盤と、非常通報釦を含む非常通報設備を備えたエレベーターの防犯装置において、前記非常通報釦が、所定時間以内の短時間だけ操作されたことを検出する短時間操作検出手段と、この短時間操作検出手段の作動に応じて、前記乗りかごを最寄階に停止させる最寄階停止手段を備えたことを特徴とするエレベーターの防犯運転装置。
【請求項２】
請求項１において、前記短時間操作検出手段が短時間だけ操作されたことを検出したとき、乗りかごが停止中であれば、即時にドアを開く即時戸開手段を備えたことを特徴とするエレベーターの防犯運転装置。
【請求項３】
請求項１または２において、前記非常通報釦が、前記所定時間を超えて操作されたことを検出する長時間操作検出手段と、この長時間操作検出手段の作動に応じて、前記最寄階停止手段の作動を阻止するとともに、前記非常通報設備を外部と接続し通話可能状態とする非常通報手段を備えたことを特徴とするエレベーターの防犯運転装置。
【請求項４】
請求項１〜３のいずれかにおいて、前記短時間操作検出手段の作動に応じて、管理人室または監視室へ警報を発する警報手段を備えたことを特徴とするエレベーターの防犯運転装置。
【請求項５】
乗りかご内に、かご操作盤と、非常通報釦を含む非常通報設備を備えたエレベーターの防犯運転方法において、前記非常通報釦が、所定時間以内の短時間だけ操作されたことを検出する短時間操作検出ステップと、この短時間操作検出ステップでの検出に応じて、前記乗りかごを最寄階に停止させる最寄階停止ステップを備えたことを特徴とするエレベーターの防犯運転方法。
【請求項６】
請求項５において、前記短時間操作検出ステップで短時間だけ操作されたことを検出したとき、乗りかごが停止中であれば、即時にドアを開く即時戸開ステップを備えたことを特徴とするエレベーターの防犯運転方法。
【請求項７】
請求項５または６において、前記非常通報釦が、前記所定時間を超えて操作されたことを検出する長時間操作検出ステップと、この長時間操作検出ステップによる検出に応じて、前記最寄階停止ステップの作動を阻止するとともに、前記非常通報設備を外部と接続し通話可能状態とする非常通報ステップを備えたことを特徴とするエレベーターの防犯運転方法。
【請求項８】
請求項５〜７のいずれかにおいて、前記短時間操作検出ステップによる検出に応じて、管理人室または監視室へ警報を発する警報ステップを備えたことを特徴とするエレベーターの防犯運転方法。
【発明の詳細な説明】
【技術分野】
【０００１】
本発明は、エレベーターの乗りかご内における防犯のための防犯運転装置および方法に関する。
【背景技術】
【０００２】
防犯目的でエレベーターを最寄階に停止させる装置として、まず、特許文献１に開示されているように、操作盤に特定の操作釦を設け、この操作釦が押されたときに最寄階に停止させる案がある。また、特許文献２に開示されているように、開釦を所定時間内に所定回押したとき、最寄階に停止させる案が提案されている。
【０００３】
【特許文献１】特開平２−９５６８９号公報
【特許文献２】特開２００１−１３０８４７号公報
【発明の開示】
【発明が解決しようとする課題】
【０００４】
しかし、操作盤に特定の操作釦を設けることは、既設のエレベーターには適用が難しいという問題がある。また、既設の釦である開釦を所定時間内に所定回数押す方式にすると、開釦が日常的に頻繁に使用される釦であるために、誤操作が起きやすいという問題が発生する。このため、犯罪に遭遇した状況で使用することが難しいという問題がある。
【０００５】
本発明は、既設のエレベーターにも簡単に適用できると共に、容易に操作でき、かつ、誤操作の惧も少ないエレベーターの防犯運転装置や方法を提供することを目的とする。
【課題を解決するための手段】
【０００６】
本発明の望ましい実施態様においては、乗りかご内にかご操作盤と、非常通報釦を含む非常通報設備を備えるエレベーターにおいて、前記かご操作盤上の非常通報釦を所定時間以内の短時間だけ操作することにより、前記乗りかごを最寄階に停止させる。
【０００７】
また、本発明の望ましい実施態様においては、前記非常通報釦が、前記所定時間を超えて操作されたことを検出したとき、前記最寄階停止を阻止するとともに、前記非常通報設備を外部と接続し通話可能状態とする。
【０００８】
さらに、本発明の望ましい実施態様においては、前記かご操作盤上の非常通報釦を所定時間以内で操作することにより、前記乗りかごを最寄階に停止させると共に、管理人室または監視室への警報を発報する。
【発明の効果】
【０００９】
エレベーター乗りかご内で犯罪等の非常事態が発生し、エレベーター乗客が一刻も早く乗りかごの外へ脱出したい場合、非常通報釦を所定時間以内だけ操作することによって、即座にエレベーターを最寄階に停止させる。これにより、乗客は、乗りかごの外へ脱出することができ、防犯効果を高めることができる。
【００１０】
また、管理人室または監視室に通報した場合には、管理人等に速やかに、かご内が危険な状況にあることを知らせることができ、さらに防犯効果を高めることができる。
【００１１】
本発明のその他の目的と特徴は、以下に述べる実施形態の中で明らかにする。
【発明を実施するための最良の形態】
【００１２】
以下本発明を図面に基づき説明する。
【００１３】
図１は本発明の一実施形態によるエレベーターの防犯運転装置を備えたエレベーターの全体概略構成図である。エレベーターの乗りかご１は、シーブ２を経由してカウンターウェイト３と繋がれる。乗りかご１は、シーブ２に連結された巻上機により昇降路内を移動する。乗りかご１内には、エレベーター操作盤４が設置されている。この操作盤４には、行先階を登録するための行先階釦、戸の開閉を制御する戸開釦および戸閉釦等、運転に必要なスイッチ類のほか、外部への情報伝達手段であるインターホン釦など非常通報釦を含む非常通報設備が備えられている。各階のホールには、ホールに乗りかごを呼ぶためのホール釦５が設置されている。ホール釦５やかご上制御装置６と接続され、エレベーター全体を制御する制御盤７が、機械室等に設置されている。
【００１４】
乗りかご１内を監視する管理人室または監視室８は、乗りかご１内の非常通報釦が操作されることによって、かご上制御装置６から制御盤７へ情報が伝達され、制御盤７に繋がる通信用端末９を通して、かご１内との通話が可能である。
【００１５】
エレベーターは、図１に示すホール釦５やかご内操作盤４に設置される行先階釦により目的階が決定され、かご位置データと照らし合わせて制御盤内のマイクロコンピュータ１０により起動信号、停止信号、上昇信号、下降信号、および速度指令等が生成される。これらの信号に基づいて巻上機に対する駆動指令が発生する。
【００１６】
なお、１１はエレベーターホールの乗り場側ドア、１２は、そらせ車の回転を検出するロータリーエンコーダである。
【００１７】
図２は、本発明の一実施例によるエレベーターの防犯運転装置の機能ブロック図で、特に、制御盤７内の検出，判断あるいは処理機能をもつ手段として示している。図２に示すように、非常通報釦の操作時間検出手段７１にて検出したインターホン釦等の非常通報釦の操作時間の短長に基き、最寄階停止または通信接続判断手段７２により、最寄階停止または通信接続の判断を行う。その結果に基き、最寄階停止処理手段７３、ドア開閉処理手段７４、または通信接続処理手段７５により、管理人室または監視室８のインターホンとの通話路の接続を行う。
【００１８】
図３は、本発明の一実施例によるエレベーターの防犯運転装置の構成概略図である。特に、制御盤７内の検出，判断あるいは処理機能をもつ手段として示している。図２に示すように、エレベーターは、制御盤７に設けたエレベーター運転制御部３１から、巻上機やドアなどに対して駆動指令を行うことで運転制御を行っている。かご呼３２とホール呼３３とによって決定される目的階３４と、かご位置データ３５の情報をもとに、前記エレベーター運転制御部３１で乗りかごの運転方向や速度を決定する。これにより、エレベーター運転制御部３１から巻上機駆動制御部３６に駆動指令を送り、乗りかご１を目的階へ移動させる。乗りかご１が目的階で停止した後、ドア開閉制御部３７へと駆動指令を送り、戸開および戸閉させている。
【００１９】
本実施例においては、前記制御盤７に「最寄階停止または通信接続」判断部３８を設ける。この「最寄階停止または通信接続」判断部３８では、タイマ３９によって測定した非常通報釦４０の操作時間と運転状態データ４１を基に、最寄階停止を行うか通信接続を行うかの判断を行う。「最寄階停止または通信接続」判断部３８による判断結果情報に基いて、エレベーター運転制御部３１に最寄階停止させるか、または通信接続制御部４２に通信接続をさせるかにより、本実施例の機能を達成することができる。
【００２０】
図４は、本発明の一実施例による運転制御処理のフローチャートである。
【００２１】
以下、図３と図４に基づき、具体的なエレベーターの防犯運転動作について説明する。
【００２２】
本実施例は、通常運転中であることが前提であるので、まず、図３の「最寄階停止または通信接続」判断部３８で、運転状態データ４１を基に通常運転中であるか、もしくは各種管制運転中であるかの判定を行う（ステップ４０１）。各種管制運転中の場合は、各種管制運転が優先されるため、現在の管制運転を継続して行う（ステップ４０２）。ステップ４０１において通常運転中と判定した場合は、ステップ４０３に移行する。通常運転中に、かご内乗客が非常通報釦４０を操作した場合、タイマ３９により検出した非常通報釦４０の操作時間と所定時間（例えば１秒）とを比較し、最寄階停止を行うか通信接続を行うかを判断する（ステップ４０４）。非常通報釦４０の操作時間が所定時間を超える場合は、通常の非常通報釦呼応答である通信回路の接続を行う（ステップ４０５）。したがって、乗客は、通常運転中に通常の非常通報釦呼応答を行いたい場合は、非常通報釦を所定時間以上操作すればよい。この通信回路接続が通信終了すると（ステップ４０６）、引き続き通常運転を行う（ステップ４０７）。
【００２３】
前記非常通報釦４０の操作時間と所定時間とを比較し（ステップ４０４）、非常通報釦４０の操作時間が所定時間以内の短時間だけである場合、即座に管理人室または監視室への非常通報を行い（ステップ４０８）、同時にエレベーターを最寄階に停止させる。したがって、乗客が犯罪に遭遇し、または緊急事態により、通常運転中にエレベーターを最寄階に停止させたい場合は、非常通報釦を短く操作すればよい。
【００２４】
このように、非常通報釦が短時間だけ操作された場合、エレベーター運転制御部３１では、以下の手順により最寄階停止およびドア開閉処理を採る。
【００２５】
まず、運転状態データ４１によりエレベーターが走行中かどうかを判断し（ステップ４０９）、エレベーターが走行中であれば、現在のかご位置から最も短い時間で到着することのできる階（最寄階）へ移動し停止する（ステップ４１０）。エレベーターが停止している状態で戸開を行い（ステップ４１１）、乗客をかご外へ避難させる。乗客がかご外へ避難するのに十分な所定時間（例えば２０秒）経過後（ステップ４１２）、戸閉を行い（ステップ４１３）、その後、通常運転を再開する（ステップ４０７）。
【００２６】
前記非常通報釦が短時間だけ操作されたことを検知したとき、ステップ４０９において、乗りかご１が停止中であると判定した場合には、ステップ４１１に飛んで、即座にドアを開き、乗客の脱出を可能にする。
【００２７】
このように、本実施例によれば、既存の非常通報釦の操作時間をカウントし、しきい値と比較するだけのソフト処理の追加だけで、既設エレベーターにも簡単に適用でき、容易に操作でき、また、誤操作の惧も少ないエレベーターの防犯運転装置を提供できる。
【図面の簡単な説明】
【００２８】
【図１】本発明の一実施形態によるエレベーターの防犯運転装置を備えたエレベーターの全体概略構成図である。
【図２】本発明の一実施例によるエレベーターの防犯運転装置の機能ブロック図である。
【図３】本発明の一実施例によるエレベーターの防犯運転装置の構成概略図である。
【図４】本発明の一実施例による運転制御処理のフローチャートである。
【符号の説明】
【００２９】
１…乗りかご、２…シーブ、３…カウンターウェイト、４…エレベーター操作盤、５…ホール釦、６…かご上制御装置、７…制御盤、８…管理人室または監視室、９…通信用端末、１０…マイクロコンピュータ、１１…乗り場ドア、１２…ロータリーエンコーダ。
【図１】
2009029580.tif 000003
【図２】
2009029580.tif 000004
【図３】
2009029580.tif 000005
【図４】
2009029580.tif 000006